(57)【要約】【課題】サイネージ装置のディスプレイに各ユーザ専用の領域を設けて各ユーザに適した情報を表示する。【解決手段】ディスプレイ１１の前面に人がいる場合には、ディスプレイ１１のミラー表示を所定の情報（例えば、地図等）の表示に変更する。そして、その人が予め利用登録を済ましているユーザである場合、ディスプレイ１１の所定の情報の表示に重畳して、該ユーザの輪郭と同じ形の該ユーザの専用のユーザ領域を設定し、ユーザ領域に該ユーザに適した情報を表示する。本技術は、デジタルサイネージに適用できる。【選択図】図９
2018049194.tif 000002
【特許請求の範囲】
【請求項１】
情報を表示するディスプレイと、
前記ディスプレイの前に存在するユーザを検知する検知部と、
検知された前記ユーザの輪郭に基づいて決定するユーザ領域を前記ディスプレイの画面上に設定するユーザ領域設定部と
を備えるサイネージ装置。
【請求項２】
前記ディスプレイに表示させる背景画像を生成する背景画像生成部と、
前記背景画像に重畳して前記ユーザ領域に表示させるユーザ領域画像を生成するユーザ領域画像生成部と、
前記背景画像に前記ユーザ領域画像を重畳させる重畳部と
をさらに備える請求項１に記載のサイネージ装置。
【請求項３】
前記ユーザ領域設定部は、検知された前記ユーザの輪郭と同じ形状の前記ユーザ領域を前記ディスプレイの画面上に設定する
請求項１または２に記載のサイネージ装置。
【請求項４】
検知された前記ユーザ側から通知されるＩＤ情報またはユーザ属性の少なくとも一方を検出する検出部を
さらに備える請求項１から３のいずれかに記載のサイネージ装置。
【請求項５】
検出された前ＩＤ情報に基づいて、検知された前記ユーザの認証処理を行うユーザ認証処理部を
さらに備える請求項１から４のいずれかに記載のサイネージ装置。
【請求項６】
前記検出部は、発光の点滅パターンとして前記ユーザ側から通知される前記ＩＤ情報または前記ユーザ属性の少なくとも一方を検出する
請求項１から５いずれかに記載のサイネージ装置。
【請求項７】
前記検出部は、画像情報として前記ユーザ側から通知される前記ＩＤ情報または前記ユーザ属性の少なくとも一方を検出する
請求項１から５のいずれかに記載のサイネージ装置。
【請求項８】
前記背景画像生成部は、前記背景画像としてミラー画像を生成する
請求項２から７のいずれかに記載のサイネージ装置。
【請求項９】
前記ユーザ領域画像生成部は、前記ユーザの前記ユーザ属性に応じて前記ユーザ領域画像を生成する
請求項２から８のいずれかに記載のサイネージ装置。
【請求項１０】
前記ユーザ領域画像生成部は、前記ユーザの前記ユーザ属性に基づき、前記ユーザの使用言語で表記されている前記ユーザ領域画像を生成する
請求項２から９のいずれかに記載のサイネージ装置。
【請求項１１】
前記ユーザの行動データを供給するサーバに接続する通信部をさらに備え、
前記ユーザ領域画像生成部は、前記ユーザの前記行動データに基づき、前記ユーザ領域画像を編集する
請求項２から８のいずれかに記載のサイネージ装置。
【請求項１２】
前記ユーザが所持するユーザ端末装置と通信する通信部をさらに備え、
前記ユーザ領域画像生成部は、前記ユーザ端末装置から送信されたデータを用いて前記ユーザ領域画像を生成する
請求項２から８のいずれかに記載のサイネージ装置。
【請求項１３】
前記通信部が同時に接続している複数の前記ユーザ端末装置に対してグループトークンを発行するグループトークン生成部をさらに備える
請求項１から１２のいずれかに記載のサイネージ装置。
【請求項１４】
前記ユーザ領域設定部は、前記ディスプレイの前に存在する複数のユーザそれぞれに対応して前記ユーザ領域を設定した後、前記複数のユーザが所定の条件を満たす場合、複数の前記ユーザ領域を、前記複数のユーザのうちの一人に対応するものとみなす
請求項１から１３のいずれかに記載のサイネージ装置。
【請求項１５】
情報を表示するディスプレイを備えたサイネージ装置の表示方法において、
前記サイネージ装置による、
前記ディスプレイの前に存在するユーザを検知する検知ステップと、
検知された前記ユーザの輪郭に基づいて決定するユーザ領域を前記ディスプレイの画面上に設定するユーザ領域設定ステップと
を含む表示方法。
【請求項１６】
コンピュータを、
情報を表示するディスプレイと、
前記ディスプレイの前に存在するユーザを検知する検知部と、
検知された前記ユーザの輪郭に基づいて決定するユーザ領域を前記ディスプレイの画面上に設定するユーザ領域設定部と
して機能させるプログラム。
【発明の詳細な説明】
【技術分野】
【０００１】
本技術は、サイネージ装置、表示方法、およびプログラムに関し、特に、ディスプレイ上に各ユーザに適した情報を表示するためのユーザ領域を設けるようにしたサイネージ装置、表示方法、およびプログラムに関する。
【背景技術】
【０００２】
商業ビル、観光スポット、駅、空港等の施設には、地図、施設案内図、広告等の情報を大型ディスプレイに表示することによって情報を発信できるデジタルサイネージが普及しつつある。
【０００３】
特に昨今、ディスプレイの大型化、情報処理の向上、通信ネットワークの高速化、無線LANの普及等が相まって、デジタルサイネージ（以下、サイネージ装置と称する）を用いた新たな情報発信の仕組みに対して様々な提案がなされている。
【０００４】
例えば、特許文献１には、ユーザの顔を予め登録しておき、サイネージ装置に人が近づいた場合、その人の顔認証を行い、予め登録されているユーザであることが確認できた場合、そのユーザに適した情報を表示する発明が提案されている。
【先行技術文献】
【特許文献】
【０００５】
【特許文献１】特開２０１１−１１８７８２号公報
【発明の概要】
【発明が解決しようとする課題】
【０００６】
本技術はこのような状況に鑑みてなされたものであり、サイネージ装置の新たな利用方法として、ディスプレイに各ユーザ専用のユーザ領域を設けて各ユーザに適した情報を表示できるようにするものである。
【課題を解決するための手段】
【０００７】
本技術の一側面であるサイネージ装置は、情報を表示するディスプレイと、前記ディスプレイの前に存在するユーザを検知する検知部と、検知された前記ユーザの輪郭に基づいて決定するユーザ領域を前記ディスプレイの画面上に設定するユーザ領域設定部とを備える。
【０００８】
本技術の一側面であるサイネージ装置は、前記ディスプレイに表示させる背景画像を生成する背景画像生成部と、前記背景画像に重畳して前記ユーザ領域に表示させるユーザ領域画像を生成するユーザ領域画像生成部と、前記背景画像に前記ユーザ領域画像を重畳させる重畳部とをさらに備えることができる。
【０００９】
前記ユーザ領域設定部は、検知された前記ユーザの輪郭と同じ形状の前記ユーザ領域を前記ディスプレイの画面上に設定することができる。
【００１０】
本技術の一側面であるサイネージ装置は、検知された前記ユーザ側から通知されるＩＤ情報またはユーザ属性の少なくとも一方を検出する検出部をさらに備えることができる。
【００１１】
本技術の一側面であるサイネージ装置は、検出された前ＩＤ情報に基づいて、検知された前記ユーザの認証処理を行うユーザ認証処理部をさらに備えることができる。
【００１２】
前記検出部は、発光の点滅パターンとして前記ユーザ側から通知される前記ＩＤ情報または前記ユーザ属性の少なくとも一方を検出することができる。
【００１３】
前記検出部は、画像情報として前記ユーザ側から通知される前記ＩＤ情報または前記ユーザ属性の少なくとも一方を検出することができる。
【００１４】
前記背景画像生成部は、前記背景画像としてミラー画像を生成することができる。
【００１５】
前記ユーザ領域画像生成部は、前記ユーザの前記ユーザ属性に応じて前記ユーザ領域画像を生成することができる。
【００１６】
前記ユーザ領域画像生成部は、前記ユーザの前記ユーザ属性に基づき、前記ユーザの使用言語で表記されている前記ユーザ領域画像を生成することができる。
【００１７】
本技術の一側面であるサイネージ装置は、前記ユーザの行動データを供給するサーバに接続する通信部をさらに備えることができ、前記ユーザ領域画像生成部は、前記ユーザの前記行動データに基づき、前記ユーザ領域画像を編集することができる。
【００１８】
本技術の一側面であるサイネージ装置は、前記ユーザが所持するユーザ端末装置と通信する通信部をさらに備えることができ、前記ユーザ領域画像生成部は、前記ユーザ端末装置から送信されたデータを用いて前記ユーザ領域画像を生成することができる。
【００１９】
本技術の一側面であるサイネージ装置は、前記通信部が同時に接続している複数の前記ユーザ端末装置に対してグループトークンを発行するグループトークン生成部をさらに備えることができる。
【００２０】
前記ユーザ領域設定部は、前記ディスプレイの前に存在する複数のユーザそれぞれに対応して前記ユーザ領域を設定した後、前記複数のユーザが所定の条件を満たす場合、複数の前記ユーザ領域を、前記複数のユーザのうちの一人に対応するものとみなすことができる。
【００２１】
本技術の一側面である表示方法は、情報を表示するディスプレイを備えたサイネージ装置の表示方法において、前記サイネージ装置による、前記ディスプレイの前に存在するユーザを検知する検知ステップと、検知された前記ユーザの輪郭に基づいて決定するユーザ領域を前記ディスプレイの画面上に設定するユーザ領域設定ステップとを含む。
【００２２】
本技術の一側面であるプログラムは、コンピュータを、情報を表示するディスプレイと、前記ディスプレイの前に存在するユーザを検知する検知部と、検知された前記ユーザの輪郭に基づいて決定するユーザ領域を前記ディスプレイの画面上に設定するユーザ領域設定部として機能させる。
【００２３】
本技術の一側面においては、ディスプレイの前に存在するユーザが検知され、検知されたユーザの輪郭に基づいて決定されたユーザ領域がディスプレイの画面上に設定される。
【発明の効果】
【００２４】
本技術の一側面によれば、ディスプレイに各ユーザ専用の領域を設けて各ユーザに適した情報を表示することが可能となる。
【図面の簡単な説明】
【００２５】
【図１】本技術を適用したサイネージ装置の概要を説明するための図である。
【図２】ユーザ認証処理を説明するための図である。
【図３】サイネージ装置を含むシステムの構成例を示すブロック図である。
【図４】サイネージ装置の構成例を示すブロック図である。
【図５】ユーザ端末装置の構成例を示すブロック図である。
【図６】サービスサーバの構成例を示すブロック図である。
【図７】表示データの供給元が異なるタイプＡ乃至Ｄを示す図である。
【図８】タイプＡに対応するサイネージ装置の処理を説明するフローチャートである。
【図９】タイプＡに対応するサイネージ装置の処理を説明するための図である。
【図１０】タイプＢに対応するサイネージ装置の処理を説明するフローチャートである。
【図１１】タイプＢに対応するサイネージ装置の表示例を示す図である。
【図１２】タイプＣに対応するサイネージ装置の処理を説明するフローチャートである。
【図１３】タイプＣに対応するサイネージ装置の表示例を示す図である。
【図１４】タイプＤに対応するサイネージ装置の処理を説明するフローチャートである。
【図１５】汎用のコンピュータの構成例を示すブロック図である。
【発明を実施するための形態】
【００２６】
以下、本技術を実施するための最良の形態（以下、実施の形態と称する）について、図面を参照しながら詳細に説明する。
【００２７】
＜サイネージ装置の概要＞
始めに、本技術の実施の形態であるサイネージ装置の概要について、図１を参照して説明する。
【００２８】
該サイネージ装置１０は、例えば、商業ビル、観光スポット、街頭、公園、駅、空港等の多くの人が利用する公共の場に設置される。ただし、例えば、住宅やカラオケボックス等の閉鎖された空間（部屋）で用いてもよい。
【００２９】
サイネージ装置１０は、大型のディスプレイ１１と、その左右に設置されたカメラ部１２を有しており、常時撮像を行うカメラ部１２からの映像に基づき、ディスプレイ１１の前面（の所定の距離範囲）に人がいるか否かを判断し、人がいない場合には、カメラ部１２からの映像を反転してディスプレイ１１に表示することによって鏡として機能する。以下、鏡として機能している状態をミラー表示とも称する。なお、ディスプレイ１１のミラー表示の代わりに地図や広告等を表示するようにしてもよい。
【００３０】
また、ディスプレイ１１の前面に人がいる場合には、ディスプレイ１１のミラー表示を所定の情報（例えば、地図等）の表示に変更する。そして、その人が予め利用登録を済ましているユーザであるか否かを判定するユーザ認証処理を行い、ユーザである場合、ディスプレイ１１の所定の情報の表示に重畳して、該ユーザの輪郭に基づいて決定される輪郭と同じ形の該ユーザの専用表示領域（以下、ユーザ領域と称する）を設定し、ユーザ領域に該ユーザに適した情報を表示する。
【００３１】
なお、ユーザ領域は、ユーザの輪郭と完全に同じ形でなくてもよく、例えば、ユーザの輪郭に基づいて矩形や円、楕円、その他の多角形等を組合せたものでもよい。その場合においても、ユーザ領域は、ユーザがディスプレイ１１に近づけば拡大し、遠ざかれば縮小するものとし、また、ユーザがディスプレイ１１の前で左右に移動すれば、それに応じて左右に移動するものとする。
【００３２】
例えば、図１に示されるように、サイネージ装置１０の前面に予め利用登録が済んでいるユーザ８１Ａ，８１Ｂが近づくと、ディスプレイ１１のミラー表示が現地言語（例えば、日本語）表記の地図等の表示に変更される。そして、ユーザ認証処理が成功すると、ディスプレイ１１には、ユーザ８１Ａのためのユーザ領域と、ユーザ８１Ｂのためのユーザ領域が設定される。そして、ユーザ８１Ａのためユーザ領域には、ユーザ８１Ａの使用言語（利用登録時に設定。例えば、英語とする）に合わせて日本語英語併記（英語のみ表記でもよい）の地図が表示される。同様に、ユーザ８１Ｂのためユーザ領域には、ユーザ８１Ｂの使用言語（利用登録時に設定。例えば、中国語とする）に合わせて日本語中国語併記（中国語のみ表記でもよい）の地図が表示される。
【００３３】
このとき、ディスプレイ１１のユーザ８１Ａ，８１Ｂそれぞれのユーザ領域以外の領域は、日本語（現地言語）表記のまま変更はない。なお、サイネージ装置１０から音声を出力できるようにし、例えば、ユーザ８１Ａに近い方のスピーカからは英語の音声を出力し、ユーザ８１Ｂに近い方のスピーカ（いずれも不図示）からは中国語の音声を出力するように、各ユーザの使用言語に合わせて音声を出力するようにしてもよい。
【００３４】
＜ユーザ認証処理について＞
図２は、ユーザ認証処理のためにユーザ端末装置５０側からサイネージ装置１０に対してユーザＩＤ等を送信する方法を示している。
【００３５】
同図Ａは、ユーザが所持するユーザ端末装置５０（例えば、スマートフォンを想定する）を用い、その背面に設けられているフラッシュ用LEDの発光をユーザＩＤに対応するパターンに従って点滅させたり、前面に設けられているディスプレイに表示させた高輝度画面をユーザＩＤに対応するパターンに従って点滅させたりする例である。
【００３６】
同図Ｂは、ユーザが所持するユーザ端末装置５０（例えば、スマートフォンを想定する）からの制御に従い、スマートウォッチやヘッドフォンに内蔵されているＩＤ通知装置８２がユーザＩＤに対応するパターンに従って発光を点滅させる例である。
【００３７】
同図Ｃは、ユーザＩＤを表すＱＲコード等の画像情報が印刷されているバッジ８３をユーザの衣服に付ける例である。なお、ＱＲコード（商標）等の画像情報を用いる代わりに、バッジ８３をユーザＩＤに対応するパターンで光を点滅させたり、変色発光させたりするようにしてもよい。バッジ８３を用いた場合、ユーザ端末装置５０やＩＤ通知装置８２に比較して、ローコスト化、省電力化を実現できる。また、ユーザがユーザ端末装置５０を所持していなくてもサイネージ装置１０を利用することができる。
【００３８】
なお、図示は省略するが、予めユーザの顔を登録しておき、顔認識によってユーザ認証処理を行うようにしてもよい。この場合、ＩＤ通知装置８２を所持したり、バッジ８３を衣服に付けたりする手間をユーザから省くことができる。
【００３９】
上述した方法によってユーザＩＤが通知されたサイネージ装置１０では、該ユーザＩＤに基づいてユーザ認証処理が行われる。
【００４０】
なお、ユーザＩＤを通知する代わりに、ユーザ属性を通知するようにしてもよい。その場合、ユーザの利用登録やユーザ認証処理を簡素化（省略）することができる。
【００４１】
上述した例では、ユーザ側からサイネージ装置１０にユーザＩＤ等を通知するようにしたが、反対に、サイネージ装置１０からユーザ端末装置５０にサイネージ装置１０のＩＤを通知するようにしてもよい。具体的には、サイネージ装置１０の画面上に該サイネージ装置１０の装置ＩＤや装置属性を表すＱＲコードを表示するようにしたり、サイネージ装置１０に該ＱＲコードが印刷されているシールを貼ったりして、それをユーザ端末装置５０が撮像して読み取るようにしてもよい。
【００４２】
この場合、近くに複数のサイネージ装置１０が存在しているようなとき、どのサイネージ装置１０を利用するかをユーザが明示的に選択することができる。また、利用を想定していないサイネージ装置１０から、ユーザＩＤが検知（盗み見）されて、ユーザ端末装置５０からデータが読み出されてしまうことを抑止できる。
【００４３】
＜サイネージ装置１０を含むシステムの構成例＞
図３は、サイネージ装置１０を含むシステムの構成例を示している。該システムは、サイネージ装置１０、ユーザが所持するユーザ端末装置５０、ユーザ端末装置５０からの制御に従いサイネージ装置１０に対してユーザＩＤを通知するＩＤ通知装置８２、並びに、サイネージ装置１０およびユーザ端末装置５０がインターネット１を介して接続するサービスサーバ７０から構成される。
【００４４】
サイネージ装置１０がインターネット１に接続する方法は、有線または無線のどちらでもよい。ユーザ端末装置５０がインターネット１に接続する方法は、携帯通信網を介してもよいし、近隣の無線LANを介してもよい。さらに、サイネージ装置１０に無線LANのアクセスポイントとして動作する機能を持たせ、ユーザ端末装置５０がアクセスポイントとしてのサイネージ装置１０を介してインターネット１に接続するようにしてもよい。
【００４５】
サイネージ装置１０とユーザ端末装置５０との接続は、所定の無線通信規格（Bluetooth（商標）、Wi-Fi、赤外線通信等）を用いることができ、相互認証処理の後、データを無線通信することができる。
【００４６】
ユーザ端末装置５０とＩＤ通知装置８２との接続は、所定の無線通信規格（例えば、Bluetooth）に従ってデータを無線通信することができる。
【００４７】
＜サイネージ装置１０の構成例＞
図４は、サイネージ装置１０の構成例を示している。
【００４８】
該サイネージ装置１０は、ディスプレイ１１、カメラ部１２、背景画像生成部１３、画像重畳部１４、ユーザ領域決定部１５、ユーザ属性判定部１６、データ提供部１７、情報抽出部１８、領域画像生成部１９、および通信部２０を有する。
【００４９】
ディスプレイ１１は、その前面に人がいない場合にはミラー表示を行い、その前面に人がいる場合には所定の情報（例えば、現地言語（いまの場合、日本語）表記の地図等）を表示し、その人が登録済みのユーザであるときには、該ユーザ専用のユーザ領域を設けて該ユーザを対象とした情報（例えば、該ユーザの使用言語併記の地図等）を表示する。
【００５０】
カメラ部１２は、ディスプレイ１１の左右に設置された２台のカメラから成り、ディスプレイ１１の前方を常時撮像し、その結果得られる映像信号を後段に出力する。すなわち、カメラ部１２は、２台のカメラから得られるステレオ映像信号をユーザ領域決定部１５に出力し、ステレオ映像信号の一方を背景画像生成部１３およびユーザ属性判定部１６に出力する。
【００５１】
背景画像生成部１３は、カメラ部１２からの映像信号に基づき、ディスプレイ１１の前面（の所定の距離範囲）に人がいるか否かを判定する。そして、ディスプレイ１１の前面に人がいない場合、背景画像生成部１３は、カメラ部１２からの映像信号を反転することによりミラー表示用のミラー画像を生成し、背景画像として画像重畳部１４に出力する。反対に、ディスプレイ１１の前面に人がいる場合、背景画像生成部１３は、所定の表示データ（例えば、現地言語表記の地図等）をデータ提供部１７から取得し、背景画像として画像重畳部１４に出力する。
【００５２】
画像重畳部１４は、背景画像生成部１３から入力される背景画像に、領域画像生成部１９から入力されるユーザ領域画像を重畳してディスプレイ１１に出力する。
【００５３】
ユーザ領域決定部１５は、カメラ部１２からのステレオ映像信号に基づき、ディスプレイ１１の前面に存在するユーザの輪郭と同じ形状のユーザ領域を決定し、ディスプレイ１１におけるユーザ領域の位置情報を領域画像生成部１９に通知する。なお、ディスプレイ１１の前面を通行する人の数が多くユーザの輪郭抽出が困難な場合、ステレオ映像信号に基づいてユーザまでの測距を行い、ディスプレイ１１から所定の距離に位置する人物にだけ着目して、その輪郭を抽出するようにする。
【００５４】
ユーザ属性判定部１６は、カメラ部１２から入力される映像信号から、ユーザが所持するユーザ端末装置５０やＩＤ通知装置８２等の点滅パターンまたはバッジ８３のＱＲコードを読み取ってユーザＩＤを特定し、データ提供部１７を参照することによってユーザ認証処理を行う。ユーザ認証処理が成功した場合、ユーザ属性判定部１６は、ユーザＩＤとそのユーザ属性を情報抽出部１８に通知する。なお、ユーザ側からユーザＩＤではなく、ユーザ属性が通知される場合、ユーザ認証処理を省略して、該ユーザ属性を情報抽出部１８に通知するようにしてもよい。
【００５５】
データ提供部１７は、各ユーザの登録情報（ユーザＩＤ、ユーザ属性、SNSアカウント等）を保持しており、ユーザ認証処理を行うユーザ属性判定部１６に対して登録情報を提供する。また、データ提供部１７は、各種の表示データ（例えば、各言語表記および複数言語併記の地図、施設案内図、広告等）を保持しており、背景画像生成部１３または情報抽出部１８からの要求に応じた表示データを情報抽出部１８に提供する。
【００５６】
情報抽出部１８は、ユーザ属性判定部１６から通知されたユーザ属性に対応する表示データ（例えば、日本語英語併記の地図）をデータ提供部１７から取得して領域画像生成部１９に出力する。また、情報抽出部１８は、通信部２０およびインターネット１を介してサービスサーバ７０にアクセスし、ユーザ属性判定部１６から通知されたユーザＩＤに対応する行動データ（例えば、ユーザの予約情報、目的地情報、スケジュール情報等）を取得して領域画像生成部１９に出力する。さらに、情報抽出部１８は、通信部２０を介してユーザ端末装置５０に接続し、該ユーザ端末装置５０から表示データ（例えば、写真データ）を取得して領域画像生成部１９に出力する。
【００５７】
領域画像生成部１９は、ユーザ領域決定部１５から通知されるディスプレイ１１におけるユーザ領域の位置情報に基づき、情報抽出部１８から入力された表示データ（例えば、日本語英語併記の地図）から該ユーザ領域を抽出することによりユーザ領域画像を生成し、さらに、ユーザ領域画像の明度を変化させて（例えば、明度を若干落として）、画像重畳部１４に出力する。さらに、領域画像生成部１９は、情報抽出部１８から入力される行動データに基づき、ユーザ領域画像を編集する（例えば、目的地やその方向を示す矢印を追加する等）ができる。
【００５８】
これにより、背景画像にユーザ領域画像が重畳された状態の画像がディスプレイ１１に表示されると、該ユーザ領域画像はユーザの影のように見えることになる。また、ユーザの背後に立つ他人がディスプレイ１１を見た場合、ユーザ領域画像はユーザ自身が妨げとなって見えにくい状態となるので、ユーザの背後に立つ他人の視線からユーザ領域画像を保護することができる（ただし、他人から完全に見えないようにするものではない）。
【００５９】
なお、ディスプレイ１１の前面に複数のユーザが存在する場合、各ユーザに対してユーザ領域が設定されて、ユーザ領域画像が生成し、背景画像に重畳されてディスプレイ１１に表示される。例えば、図１に示されたように、ディスプレイ１１の前面に２人のユーザ８１Ａ，８１Ｂが存在する場合、ディスプレイ１１の背景画像に二つのーザ領域が設定されて、ユーザ８１Ａ，８１Ｂそれぞれに対応する表示データに対応する映像が表示されることになる。
【００６０】
通信部２０は、ユーザ端末装置５０との間で所定の無線通信規格に従い、所定のデータを無線通信する。また、通信部２０は、インターネット１を介してサービスサーバ７０に接続し、所定のデータを取得する。さらに、通信部２０は、グループトークン生成部２１を内蔵している。グループトークン生成部２１は、同時に接続している複数のユーザ端末装置５０に対してグループトークンを発行する。
【００６１】
＜ユーザ端末装置５０の構成例＞
図５は、ユーザ端末装置５０の構成例を示している。ユーザ端末装置５０は、例えば、スマートフォンに搭載されることが想定される。
【００６２】
ユーザ端末装置５０は、ＩＤ通知制御部５１、カメラ部５２、サイネージ装置検出部５３、ＩＤ通知指示ボタン５４、位置情報検出部５５、データ提供部５６、ＩＤ通知部５７、ＩＤ通知装置制御部５８、通信部５９、リモートディスプレイ制御部６０、アプリ実行部６１、アプリデータ格納部６２、およびディスプレイ６３を有する。
【００６３】
ＩＤ通知制御部５１は、ＩＤ通知指示ボタン５４等から通知されるトリガ信号に応じ、ＩＤ通知部５７またはＩＤ通知装置８２を制御し、サイネージ装置１０に対してユーザＩＤを通知する処理を実行させる。
【００６４】
カメラ部５２は、例えば、サイネージ装置１０の画面に表示されるＱＲコードを撮像し、その結果得られる画像をサイネージ装置検出部５３に出力する。サイネージ装置検出部５３は、カメラ部５２から入力される画像からＱＲコードを検出し、該ＱＲコードが表わす装置ＩＤや装置属性をＩＤ通知制御部５１に通知する。
【００６５】
ＩＤ通知指示ボタン５４は、ＩＤ通知を指示するユーザからの操作を受け付けるためのボタンであり、該ユーザから操作に応じて、ＩＤ通知のトリガ信号をＩＤ通知制御部５１に出力する。
【００６６】
位置情報検出部５５は、例えば、GPS信号等を受信、解析することにより該ユーザ端末装置５０の位置情報を検出する。さらに、位置情報検出部５５は、データ提供部５６（または、サイネージ装置位置情報格納部７２（図６））に保持されているサイネージ装置１０の位置情報を参照し、近隣にサイネージ装置１０が存在する場合、トリガ信号をＩＤ通知制御部５１に出力する。
【００６７】
ＩＤ通知部５７は、例えばスマートフォンにおける背面に設けられているフラッシュ用LEDまたはディスプレイ６３等に相当し、ＩＤ通知制御部５１から通知されるユーザＩＤに対応するパターンに従って発光を点滅することにより、サイネージ装置１０に対してユーザＩＤを通知する。
【００６８】
ＩＤ通知装置制御部５８は、ＩＤ通知制御部５１からの制御に従い、図２Ｂに示されたスマートウォッチやヘッドフォン等に搭載されているＩＤ通知装置８２にアクセスして、ユーザＩＤに対応するパターンに従って発光を点滅させることにより、サイネージ装置１０に対してユーザＩＤを通知するように制御する。
【００６９】
通信部５９は、サイネージ装置１０との間で所定の無線通信規格（例えば、Wi-Fi）に従い、所定のデータを無線通信する。また、通信部５９は、所定の無線通信規格（例えば、Bluetooth）に従い、ＩＤ通知装置８２との間で所定のデータを通信する。さらに、通信部５９は、携帯通信網、近隣の無線LAN、またはアクセスポイントとして動作するサイネージ装置１０を介してインターネット１に接続し、サービスサーバ７０とデータを通信する。
【００７０】
リモートディスプレイ制御部６０は、アプリ実行部６１にて実行されるアプリケーションプログラムによるディスプレイ６３への画面表示と同じ映像信号を、通信部５９を介してサイネージ装置１０に供給する。
【００７１】
アプリ実行部６１は、インストールされているアプリケーションプログラム（例えば、撮像、保存されている写真データを閲覧するための写真アプリ等）を実行する。また、アプリ実行部６１は、アプリサーバ９０にアクセスし、実行中のアプリケーションプログラムが処理するアプリデータ（例えば、写真データ）をアップロードしたり、他のユーザとデータを共有したりする。
【００７２】
アプリデータ格納部６２は、アプリケーションプログラムが処理するアプリデータ（例えば、写真データ）を保持している。ディスプレイ６３は、実行中のアプリケーションプログラムから供給される映像信号に対応する画面表示を行う。なお、図２Ａを参照して上述したように、ディスプレイ６３がＩＤ通知部５７として動作するようにしてもよい。
【００７３】
＜サービスサーバ７０の構成例＞
図６は、サービスサーバ７０の構成例を示している。
【００７４】
該サービスサーバ７０は、通信部７１、サイネージ装置位置情報格納部７２、マッチング判定部７３、データ提供部７４、およびユーザ情報抽出部７５を有する。
【００７５】
通信部７１は、インターネット１を介してサイネージ装置１０やユーザ端末装置５０と接続する。
【００７６】
サイネージ装置位置情報格納部７２には、サイネージ装置１０の位置情報が格納されている。マッチング判定部７３は、ユーザ端末装置５０から該ユーザ端末装置５０の位置情報が通知された場合、サイネージ装置位置情報格納部７２を参照することにより、該ユーザ端末装置５０の近傍にサイネージ装置１０が存在するか否かを判定し、その判定結果を該ユーザ端末装置５０に通知する。
【００７７】
データ提供部７４には、ユーザの行動データ（例えば、飛行機等の交通手段の予約情報、会議室やレストラン、コンサート等の予約情報、目的地情報、スケジュール情報等）が予め登録されている。ユーザ情報抽出部７５は、サイネージ装置１０からユーザＩＤが通知された場合、データ提供部７４を参照することにより、該ユーザＩＤに対応する行動データを抽出してサイネージ装置１０に提供する。
【００７８】
＜表示データの供給元が異なるタイプＡ乃至Ｄについて＞
次に、図７は、サイネージ装置１０の画面に設けられるユーザ領域に表示される表示データ等の供給元を示している。
【００７９】
同図Ａは、ユーザ認証処理のためにユーザ端末装置５０からサイネージ装置１０に対してユーザＩＤが通知され、サイネージ装置１０のデータ提供部１７から表示データ（例えば、ユーザの使用言語併記の地図等）が提供される場合の例を示している。以下、この例をタイプＡと称する。
【００８０】
同図Ｂは、ユーザ認証処理が成功した後、ユーザ端末装置５０からサイネージ装置１０に対して表示データ（例えば、写真データ）が提供される場合の例を示している。以下、この例をタイプＢと称する。
【００８１】
同図Ｃは、ユーザ認証処理が成功した後、サイネージ装置１０がユーザ端末装置５０から通知されているユーザＩＤをサービスサーバ７０に通知して、サービスサーバ７０から該ユーザの行動データ（予約情報、目的地情報、スケジュール情報等）の提供を受け、サイネージ装置１０のデータ提供部１７が提供する表示データ（例えば、ユーザの使用言語併記の地図等）に行動データを反映させる場合の例を示している。以下、この例をタイプＣと称する。
【００８２】
同図Ｄは、上述したタイプＢを経た後、サイネージ装置１０に接続している複数のユーザ端末装置５０に対してサイネージ装置１０がグループトークンを発行し、グループトークンが発行された複数のユーザ端末装置５０の間で、アプリサーバ９０を介してアプリデータ（例えば、写真データ等）を共有する場合の例を示している。以下、この例をタイプＤと称する。
【００８３】
以下、上述したタイプＡ乃至Ｄにそれぞれ対応するサイネージ装置１０の処理について詳述する。
【００８４】
なお、サイネージ装置１０がタイプＡ乃至Ｄのいずれであるかについては、サイネージ装置１０毎にタイプＡ乃至Ｄのいずれかを予め指定しておいてもよいし、ユーザが所定のタイミングで選択できるようにしてもよい。
【００８５】
＜タイプＡに対応するサイネージ装置１０の処理＞
図８は、タイプＡに対応するサイネージ装置１０の処理を説明するフローチャートである。図９は、タイプＡに対応するサイネージ装置１０の処理を説明するための図である。
【００８６】
ステップＳ１において、図９Ａに示されるように、ディスプレイ１１に所定の表示データ（同図の場合、日本語表記の地図等）が行われる。すなわち、背景画像生成部１３が、所定の表示データをデータ提供部１７から取得し、背景画像として画像重畳部１４に出力し、画像重畳部１４が背景画像をそのままディスプレイ１１に出力する。なお、日本語表記の地図の代わりに、ミラー表示や広告表示を行うようにしてもよい。
【００８７】
ステップＳ２において、ディスプレイ１１の前面に人が現れるまで日本語表記の地図の表示が継続される。すなわち、背景画像生成部１３が、カメラ部１２からの映像信号に基づき、ディスプレイ１１の前面に人がいるか否かを判定し、ディスプレイ１１の前面に人が現れない場合、処理をステップＳ１に戻して、ステップＳ１およびＳ２の処理を繰り返す。その後、図９Ｂに示されるように、ディスプレイ１１の前面に人が現れた場合、処理をステップＳ３に進める。
【００８８】
ステップＳ３において、ディスプレイ１１の前面に現れた人に対するユーザ認証処理が行われる。すなわち、ユーザ属性判定部１６が、カメラ部１２から入力される映像信号から、ＩＤ通知装置８２等の点滅パターンを読み取り、それに対応するユーザＩＤを特定し、情報抽出部１８を参照することによってユーザ認証処理を行う。
【００８９】
ステップＳ４において、ユーザ認証処理の成否が判断される。すなわち、ユーザ属性判定部１６によって特定されたユーザＩＤが登録済みであると確認された場合、ユーザ認証処理が成功したと判断されて、ユーザ属性判定部１６がユーザＩＤとそのユーザ属性（例えば、使用言語が英語であることを示す）を情報抽出部１８に通知した後、処理がステップＳ５に進められる。反対に、ユーザ属性判定部１６によって特定されたユーザＩＤが登録済みではないと確認された場合、ユーザ認証処理が失敗したと判断され、処理がステップＳ３に戻されて、ステップＳ３およびＳ４の処理が繰り返される。なお、ステップＳ３およびＳ４の処理が所定の回数繰り返された場合、すなわち、ユーザ認証処理が所定の回数失敗した場合には、改めてステップＳ１から実行するようにする。
【００９０】
ステップＳ５において、ユーザ領域が決定される。すなわち、ユーザ領域決定部１５が、カメラ部１２からのステレオ映像信号に基づき、ディスプレイ１１の前面に存在するユーザの輪郭と同じ形状のユーザ領域の位置を決定し、ディスプレイ１１におけるユーザ領域の位置情報を領域画像生成部１９に通知する。
【００９１】
ステップＳ６において、ユーザ領域画像が生成される。すなわち、情報抽出部１８が、ユーザ属性判定部１６から通知されたユーザ属性に対応する表示データ（例えば、日本語英語併記の地図）をデータ提供部１７から取得して領域画像生成部１９に出力する。領域画像生成部１９は、ユーザ領域決定部１５から通知されたディスプレイ１１におけるユーザ領域の位置情報に基づき、情報抽出部１８から入力された表示データから該ユーザ領域を抽出することによりユーザ領域画像を生成し、さらに、ユーザ領域画像の明度を変更して画像重畳部１４に出力する。
【００９２】
ステップＳ７において、ディスプレイ１１のユーザ領域にユーザ領域画像が表示される。すなわち、画像重畳部１４が、背景画像生成部１３から入力されている背景画像（いまの場合、日本語表記の地図）に、領域画像生成部１９から入力されるユーザ領域画像（いまの場合、日本語英語併記の地図）を重畳してディスプレイ１１に出力する。
【００９３】
なお、ディスプレイ１１の前面に複数の人が存在する場合、上述したステップＳ３乃至Ｓ７の処理は、検出された各人ごとに行われる。例えば、図９Ｂに示されたように、ディスプレイ１１の前面に２人が存在し、ユーザ８１Ａの使用言語が英語であり、ユーザ８１Ｂの使用言語が中国語である場合、図９Ｃに示されるように、ディスプレイ１１の全体（背景）には、日本語表記の地図が表示され、ユーザ８１Ａの影（ユーザ領域８５Ａ）には、日本語英語併記の地図が表示され、ユーザ８１Ｂの影（ユーザ領域８５Ｂ）には、日本語中国語併記の地図が表示されることになる。
【００９４】
以上で、タイプＡに対応するサイネージ装置１０の処理の説明を終了する。該処理によれば、各ユーザは画面に表示されている地図上で自身が見たい地域の正面に立てば、見たい地域が自己のユーザ領域に含まれることになるので、明示的な操作を行わなくても、自己の使用言語表示の情報を得ることができる。
【００９５】
＜タイプＢに対応するサイネージ装置１０の処理＞
図１０は、タイプＢに対応するサイネージ装置１０の処理を説明するフローチャートである。図１１は、タイプＢに対応するサイネージ装置１０の表示例を示す図である。
【００９６】
ステップＳ１１において、ディスプレイ１１にミラー表示が行われる。すなわち、背景画像生成部１３がカメラ部１２からの映像信号を反転することによりミラー表示用のミラー画像を生成し、背景画像として画像重畳部１４に出力し、画像重畳部１４が背景画像をそのままディスプレイ１１に出力する。なお、ミラー表示の代わりに、例えば、現地語表記の地図や広告を表示するようにしてもよい。
【００９７】
ステップＳ１２において、ディスプレイ１１の前面に人が現れるまでミラー表示が継続される。すなわち、背景画像生成部１３が、カメラ部１２からの映像信号に基づき、ディスプレイ１１の前面に人がいるか否かを判定し、ディスプレイ１１の前面に人が現れない場合、処理をステップＳ１に戻して、ステップＳ１１およびＳ１２の処理を繰り返す。その後、ディスプレイ１１の前面に人が現れた場合、処理をステップＳ１３に進める。
【００９８】
ステップＳ１３において、ディスプレイ１１に所定の表示データ（例えば、日本語表記の地図等）が行われる。すなわち、背景画像生成部１３が、所定の表示データをデータ提供部１７から取得し、背景画像として画像重畳部１４に出力し、画像重畳部１４が背景画像をそのままディスプレイ１１に出力する。
【００９９】
ステップＳ１４において、ディスプレイ１１の前面に現れた人に対するユーザ認証処理が行われる。すなわち、ユーザ属性判定部１６が、カメラ部１２から入力される映像信号から、ＩＤ通知装置８２等の点滅パターンを読み取り、それに対応するユーザＩＤを特定し、情報抽出部１８を参照することによってユーザ認証処理を行う。
【０１００】
ステップＳ１５において、ユーザ認証処理の成否が判断される。すなわち、ユーザ属性判定部１６によって特定されたユーザＩＤが登録済みであると確認された場合、ユーザ認証処理が成功したと判断されて、ユーザ属性判定部１６がユーザＩＤを情報抽出部１８に通知した後、処理がステップＳ１６に進められる。反対に、ユーザ属性判定部１６によって特定されたユーザＩＤが登録済みではないと確認された場合、ユーザ認証処理が失敗したと判断され、処理がステップＳ１３に戻されて、ステップＳ１３乃至Ｓ１５の処理が繰り返される。なお、ステップＳ１３乃至Ｓ１５の処理が所定の回数繰り返された場合、すなわち、ユーザ認証処理が所定の回数失敗した場合には、改めてステップＳ１１から実行するようにする。
【０１０１】
ステップＳ１６において、ユーザ領域が決定される。すなわち、ユーザ領域決定部１５が、カメラ部１２からのステレオ映像信号に基づき、ディスプレイ１１の前面に存在するユーザの輪郭と同じ形状のユーザ領域の位置を決定し、ディスプレイ１１におけるユーザ領域の位置情報を領域画像生成部１９に通知する。また、ユーザ領域決定部１５は、ユーザ属性判定部１６を介し、ユーザ領域のサイズを情報抽出部１８に通知する。
【０１０２】
ステップＳ１７において、ユーザ認証処理が成功したユーザ端末装置５０と無線接続が確立される。すなわち、情報抽出部１８がユーザＩＤを通信部２０に通知し、通信部２０が、ユーザＩＤに対応するユーザ端末装置５０と無線接続を確立する。
【０１０３】
ステップＳ１８において、通信部２０がユーザ領域のサイズをユーザ端末装置５０に通知する。この通知を受け取ったユーザ端末装置５０では、アプリ実行部６１で実行されているアプリケーションプログラム（例えば、写真アプリ等）が、ディスプレイ６３に表示させる画面の映像信号をリモートディスプレイ制御部６０とディスプレイ６３に出力し、リモートディスプレイ制御部６０が、該映像信号を通信部５９を介してサイネージ装置１０に送信する。サイネージ装置１０では、該映像信号が通信部２０で受信されて情報抽出部１８に供給される。
【０１０４】
ステップＳ１９において、ユーザ領域画像が生成される。すなわち、情報抽出部１８が、通信部２０から供給されたユーザ端末装置５０からの映像信号を領域画像生成部１９に出力する。領域画像生成部１９は、ユーザ領域決定部１５から通知されたディスプレイ１１におけるユーザ領域の位置情報に、ユーザ端末装置５０からの映像信号をレンダリングすることによってユーザ領域画像を生成し、さらに、ユーザ領域画像の明度を変更して画像重畳部１４に出力する。
【０１０５】
ステップＳ２０において、ディスプレイ１１のユーザ領域にユーザ領域画像が表示される。すなわち、画像重畳部１４が、背景画像生成部１３から入力されている背景画像（いまの場合、日本語表記の地図）に、領域画像生成部１９から入力されるユーザ領域画像（いまの場合、ユーザ端末装置５０で実行されている写真アプリの映像）を重畳してディスプレイ１１に出力する。
【０１０６】
なお、ディスプレイ１１の前面に複数の人が存在する場合、上述したステップＳ１４乃至Ｓ２０の処理は、検出された各人ごとに行われる。例えば、ディスプレイ１１の前面に２人が存在する場合、図１１に示されるように、ユーザ８１Ａの影（ユーザ領域８５Ａ）には、ユーザ８１Ａが所持するユーザ端末装置５０の画面と同じ映像が表示され、ユーザ８１Ｂの影（ユーザ領域８５Ｂ）には、ユーザ８１Ｂが所持するユーザ端末装置５０の画面と同じ映像が表示されことになる。
【０１０７】
以上で、タイプＢに対応するサイネージ装置１０の処理の説明を終了する。該処理によれば、各ユーザは画面上に設けられた自分専用のユーザ領域を、所持するユーザ端末装置５０のリモートディスプレイとして利用できるので、例えば、ユーザ８１Ａは、隣にいるユーザ８１Ｂに対して、所持するユーザ端末装置５０に保存されている写真等を、サイネージ装置１０の画面のユーザ領域に表示させて披露することができる。このとき、ユーザがディスプレイ１１に近づけば自己のユーザ領域が広がり、ディスプレイ１１から離れれば、自己のユーザ領域が狭まるので、ユーザは特別な操作をすることなく、直感的に自己のユーザ領域の広さを調整できる。
【０１０８】
なお、ユーザ８１Ａの背後に立つ他人がディスプレイ１１を見た場合、ユーザ８１Ａのユーザ領域は、ユーザ８１Ａ自身が妨げとなって見えにくい状態となるので、ユーザの背後に立つ他人の視線からユーザ領域画像をある程度保護することができる。
【０１０９】
＜タイプＣに対応するサイネージ装置１０の処理＞
図１２は、タイプＣに対応するサイネージ装置１０の処理を説明するフローチャートである。図１３は、タイプＣに対応するサイネージ装置１０の表示例を示す図である。
【０１１０】
ステップＳ３１において、ディスプレイ１１に所定の表示データ（例えば、日本語表記の地図等）が行われる。すなわち、背景画像生成部１３が、所定の表示データをデータ提供部１７から取得し、背景画像として画像重畳部１４に出力し、画像重畳部１４が背景画像をそのままディスプレイ１１に出力する。なお、日本語表記の地図の代わりに、ミラー表示や広告表示を行うようにしてもよい。
【０１１１】
ステップＳ３２において、ディスプレイ１１の前面に人が現れるまで日本語表記の地図の表示が継続される。すなわち、背景画像生成部１３が、カメラ部１２からの映像信号に基づき、ディスプレイ１１の前面に人がいるか否かを判定し、ディスプレイ１１の前面に人が現れない場合、処理をステップＳ３１に戻して、ステップＳ３１およびＳ３２の処理を繰り返す。その後、図９Ｂに示されるように、ディスプレイ１１の前面に人が現れた場合、処理をステップＳ３３に進める。
【０１１２】
ステップＳ３３において、ディスプレイ１１の前面に現れた人に対するユーザ認証処理が行われる。すなわち、ユーザ属性判定部１６が、カメラ部１２から入力される映像信号から、ＩＤ通知装置８２等の点滅パターンを読み取り、それに対応するユーザＩＤを特定し、情報抽出部１８を参照することによってユーザ認証処理を行う。
【０１１３】
ステップＳ３４において、ユーザ認証処理の成否が判断される。すなわち、ユーザ属性判定部１６によって特定されたユーザＩＤが登録済みであると確認された場合、ユーザ認証処理が成功したと判断されて、ユーザ属性判定部１６がユーザＩＤを情報抽出部１８に通知した後、処理がステップＳ３５に進められる。反対に、ユーザ属性判定部１６によって特定されたユーザＩＤが登録済みではないと確認された場合、ユーザ認証処理が失敗したと判断され、処理がステップＳ３３に戻されて、ステップＳ３３およびＳ３４の処理が繰り返される。なお、ステップＳ３３およびＳ３４の処理が所定の回数繰り返された場合、すなわち、ユーザ認証処理が所定の回数失敗した場合には、改めてステップＳ３１から実行するようにする。
【０１１４】
ステップＳ３５において、ユーザ領域が決定される。すなわち、ユーザ領域決定部１５が、カメラ部１２からのステレオ映像信号に基づき、ディスプレイ１１の前面に存在するユーザの輪郭と同じ形状のユーザ領域の位置を決定し、ディスプレイ１１におけるユーザ領域の位置情報を領域画像生成部１９に通知する。
【０１１５】
ステップＳ３６において、ユーザの行動データがサービスサーバ７０から取得される。すなわち、情報抽出部１８が、通信部２０およびインターネット１を介し、サービスサーバ７０に接続してユーザＩＤを通知する。これに応じ、サービスサーバ７０では、ユーザ情報抽出部７５がデータ提供部７４から該ユーザＩＤに対応する行動データを抽出して通信部７１に出力し、通信部７１が該行動データを、インターネット１を介してサイネージ装置１０に返信する。
【０１１６】
なお、サイネージ装置１０がサービスサーバ７０からユーザの行動データを取得するに際しては、なりすまし等に対するデータ漏えいを防止するため、相互認証処理を実行するようにしてもよい。
【０１１７】
サイネージ装置１０では、情報抽出部１８が通信部２０を介して該行動データを取得し、受信して情報抽出部１８に供給する。情報抽出部１８は、該行動データから、現在の時刻や位置に関係する情報（例えば、目的地情報）を抽出して領域画像生成部１９に出力する。
【０１１８】
ステップＳ３７において、ユーザ領域画像が生成される。すなわち、情報抽出部１８が、ユーザ属性判定部１６から通知されたユーザ属性に対応する表示データ（例えば、日本語英語併記の地図）をデータ提供部１７から取得して領域画像生成部１９に出力する。領域画像生成部１９は、ユーザ領域決定部１５から通知されたディスプレイ１１におけるユーザ領域の位置情報に基づき、情報抽出部１８から入力された表示データから該ユーザ領域を抽出することによりユーザ領域画像を生成する。また、領域画像生成部１９は、情報抽出部１８から入力された目的地情報に基づき、ユーザ領域画像にユーザの目的地またはその方向を指し示す矢印を追加し、さらに、ユーザ領域画像の明度を変更して画像重畳部１４に出力する。
【０１１９】
ステップＳ３８において、ディスプレイ１１のユーザ領域にユーザ領域画像が表示される。すなわち、画像重畳部１４が、背景画像生成部１３から入力されている背景画像（いまの場合、日本語表記の地図）に、領域画像生成部１９から入力されるユーザ領域画像（いまの場合、目的地やその方向を指し示す矢印が追加された日本語英語併記の地図）を重畳してディスプレイ１１に出力する。
【０１２０】
なお、ディスプレイ１１の前面に複数の人が存在する場合、上述したステップＳ３３至Ｓ３８の処理は、検出された各人ごとに行われる。例えば、ディスプレイ１１の前面に２人が存在し、ユーザ８１Ａの使用言語が英語であり、ユーザ８１Ｂの使用言語が中国語である場合、図１３に示されるように、ディスプレイ１１の全体（背景）には、日本語表記の地図が表示され、ユーザ８１Ａの影（ユーザ領域８５Ａ）には、日本語英語併記の地図上にユーザ８１Ａの目的地（ユーザ領域８５Ａに表示されている地図の外）の方向を大まかに指し示す矢印が表示される。同様に、ユーザ８１Ｂの影（ユーザ領域８５Ｂ）には、日本語中国語併記の地図上にユーザ８１Ｂの目的地（ユーザ領域８５Ｂに表示されている地図内）を指し示す矢印が表示される。
【０１２１】
以上で、タイプＣに対応するサイネージ装置１０の処理の説明を終了する。該処理によれば、ユーザは、自己の目的地が自己のユーザ領域に入っていない場合には、特別な操作をすることなく、自身が移動したり、手を伸ばしたりする直感的な行動によってユーザ領域を移動したり、拡大したりして、自己の目的地をユーザ領域内に入れることができ、目的地の正確な位置を表示させることができる。
【０１２２】
また、例えば、空港における飛行機の搭乗ゲートや、予約済みのイベントのスケジュールや会場等について、地図や予定表をディスプレイ１１の全体に表示させ、各ユーザごとの情報については、その上に重畳表示させることにより、情報（例えば、地図）の概要を見れば済むユーザと、詳細を見たいユーザとが混在している場合においても、各ユーザに対して短時間で効率的に情報を提示することができる。
【０１２３】
＜タイプＤに対応するサイネージ装置１０の処理＞
図１４は、タイプＤに対応するサイネージ装置１０の処理を説明するフローチャートである。
【０１２４】
タイプＤに対応する該処理は、例えば、上述したタイプＢに対応するサイネージ装置１０の処理を経た後に実行される。
【０１２５】
ステップＳ５１において、同時に複数のユーザ端末装置５０が接続しているか確認する。すなわち、通信部２０が、同時に複数のユーザ端末装置５０との間で無線接続を確立しているか否かを判定する。同時に複数のユーザ端末装置５０との間で無線接続が確立されている場合、処理はステップＳ５２に進められる。反対に、１台以下のユーザ端末装置５０との間でのみ無線接続が確立されている場合、ステップＳ５２はスキップされる。
【０１２６】
ステップＳ５２において、通信部２０のグループトークン生成部２１が、無線接続が確立されている複数のユーザ端末装置５０に対してグループトークンを発行、通知する。
【０１２７】
この後、グループトークンが通知された複数のユーザ端末装置５０側では、実行中のアプリケーションプログラム（例えば、写真アプリ等）が処理するアプリデータ（例えば、写真データ等）がアプリサーバ９０を介して共有可能な状態となる。
【０１２８】
以上で、タイプＤに対応するサイネージ装置１０の処理の説明を終了する。該処理によれば、各ユーザは他のユーザとの間でアプリデータを共有することが可能となる。
【０１２９】
＜第１の変形例＞
以上の説明では、ディスプレイ１１の前に複数のユーザが存在していた場合、各ユーザに対してそれぞれ個別にユーザ領域が設けられるようにしたが、複数のユーザ間の距離が所定の閾値（数ｃｍ）以下の場合、各ユーザ用の複数のユーザ領域を１つのユーザ領域とみなしてもよい。
【０１３０】
具体的には、例えば、ディスプレイ１１の前に手を繋いだ２人のユーザが存在し、それぞれのユーザ認証処理が成功して２つのユーザ領域が設けられた後、一方のユーザがユーザＩＤを通知する点滅パターンを継続し、他方のユーザがユーザＩＤを通知する点滅パターンを消した場合、２つのユーザ領域を一方のユーザに対応するものとみなして、一方のユーザに適した情報の表示面積を広げるようにしてもよい。
【０１３１】
このようにすれば、２人組以上のユーザは、より広い表示面積で、そのうちの一人のユーザに適した情報や、該ユーザから提供される情報（例えば、写真等）を見ることができる。
【０１３２】
＜第２の変形例＞
サイネージ装置１０のディスプレイ１１をユーザ以外の他人が見る可能性が無い場合、すなわち、ディスプレイ１１の前面にユーザ認証処理が成功したユーザだけしかいない場合や、サイネージ装置１０が閉鎖的な空間（住宅の部屋等）に設定されていることが検知された場合、ディスプレイ１１の全面をユーザ領域とみなし、ユーザに適した情報を表示するようにしてもよい。また、その場合、複数のユーザがいるときには、ディスプレイ１１に対する各ユーザの左右の位置や距離に応じ、検出される各ユーザの輪郭を矩形領域に変換してディスプレイ１１に配置することにより、画面上で利用しない領域を減らし、矩形を前提とすることが多い情報を効率的に表示することができる。
【０１３３】
＜第３の変形例＞
サイネージ装置１０のディスプレイ１１をテーブル型とし、ユーザが見下ろして使用するようにしてもよい。
【０１３４】
＜第４の変形例＞
サイネージ装置１０のディスプレイ１１にタッチセンサを内蔵させてもよい。タッチセンサにより、例えば、ユーザが両手を使ってディスプレイ１１の一部の領域を覆い隠す動作が検知された場合、その領域を該ユーザに対して秘匿性が高い情報を表示するための専用の表示領域とするようにしてもよい。
【０１３５】
＜応用例＞
サイネージ装置１０のディスプレイ１１に設けたユーザ領域に、Twitter（商標）等のSNSの画面を表示するようにしてもよい。具体的には、ユーザ登録時にSNSアカウントをユーザＩＤに対応付けて登録するようにし、ユーザがユーザＩＤを通知するバッジ８３等を身に付けるようにする。サイネージ装置１０では、ユーザ認証処理後、ユーザＩＤに対応するSNSアカウントを用いてSNSのサーバにアクセスし、該ユーザ用の情報を取得してディスプレイ１１のユーザ領域に表示すればよい。
【０１３６】
このようにすれば、ユーザは、ユーザ端末装置５０（スマートフォン等）を所持していなくても、サイネージ装置１０を用いてSNSからのメッセージ等を確認することができる。
【０１３７】
＜他の実施形態＞
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１３８】
図１５は、上述した一連の処理をプログラムにより実行するコンピュータのハードウェアの構成例を示すブロック図である。
【０１３９】
該コンピュータ１００において、CPU（Central Processing Unit）１０１，ROM（Read Only Memory）１０２，RAM（Random Access Memory）１０３は、バス１０４により相互に接続されている。
【０１４０】
バス１０４には、さらに、入出力インタフェース１０５が接続されている。入出力インタフェース１０５には、入力部１０６、出力部１０７、記憶部１０８、通信部１０９、およびドライブ１１０が接続されている。
【０１４１】
入力部１０６は、キーボード、マウス、マイクロフォンなどよりなる。出力部１０７は、ディスプレイ、スピーカなどよりなる。記憶部１０８は、ハードディスクや不揮発性のメモリなどよりなる。通信部１０９は、ネットワークインタフェースなどよりなる。ドライブ１１０は、磁気ディスク、光ディスク、光磁気ディスク、又は半導体メモリなどのリムーバブルメディア１１１を駆動する。
【０１４２】
以上のように構成されるコンピュータ１００では、CPU１０１が、例えば、記憶部１０８に記憶されているプログラムを、入出力インタフェース１０５およびバス１０４を介して、RAM１０３にロードして実行することにより、上述した一連の処理が行われる。
【０１４３】
なお、コンピュータ１００が実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【０１４４】
なお、本技術の実施の形態は、上述した実施の形態に限定されるものではなく、本技術の要旨を逸脱しない範囲において種々の変更が可能である。
【符号の説明】
【０１４５】
１  インターネット，  １０  サイネージ装置，  １１  ディスプレイ，  １２  カメラ部，  １３  背景画像生成部，  １４  画像重畳部，  １５  ユーザ領域決定部，  １６  ユーザ属性判定部，  １７  データ提供部，  １８  情報抽出部，  １９  領域画像生成部，  ２０  通信部，  ２１  グループトークン生成部，    ５０  ユーザ端末装置，  ５１  ＩＤ通知制御部，  ５２  カメラ部，  ５３  サイネージ装置検出部，  ５４  ＩＤ通知指示ボタン，  ５５  位置情報検出部，  ５６  データ提供部，  ５７  ＩＤ通知部，  ５８  ＩＤ通知装置制御部，  ５９  通信部，  ６０  リモートディスプレイ制御部，  ６１  アプリ実行部，  ６２  アプリデータ格納部，  ６３  ディスプレイ，  ７０  サービスサーバ，  ７１  通信部，  ７２  サイネージ装置位置情報格納部，  ７３  マッチング判定部，  ７４  データ提供部，  ７５  ユーザ情報抽出部，  ８１  ユーザ，  ８２  ＩＤ通知装置，  ８３  バッジ，  ８５  ユーザ領域，９０  アプリサーバ，  １００  コンピュータ，  １０１  CPU
【図１】
2018049194.tif 000003
【図２】
2018049194.tif 000004
【図３】
2018049194.tif 000005
【図４】
2018049194.tif 000006
【図５】
2018049194.tif 000007
【図６】
2018049194.tif 000008
【図７】
2018049194.tif 000009
【図８】
2018049194.tif 000010
【図９】
2018049194.tif 000011
【図１０】
2018049194.tif 000012
【図１１】
2018049194.tif 000013
【図１２】
2018049194.tif 000014
【図１３】
2018049194.tif 000015
【図１４】
2018049194.tif 000016
【図１５】
2018049194.tif 000017